(57)【要約】      （修正有）【課題】環状装身具の止着部分を装飾本体に設けることによって、胸の前で簡単かつ確実に止着操作でき、環状装身具の止着部分の位置ずれなどを確実に防ぐ、環状装身具を提供する。【解決手段】分離可能な第１装飾体３及び第２装飾体４を有する装飾本体２と、前記第１装飾体３に一端が、前記第２装飾体４に他端が連結されるリング状のチェーンと、前記第１装飾体３及び第２装飾体４の各接合面部３ｈ、４ｈに配置される一対のマグネット６、７及び横滑り防止部材８と、前記第１装飾体３及び第２装飾体４の各外周壁部に設けられる一対のチェーン連結部材９、１０及び回転防止部１１、１２と、を備える。【選択図】図５
0003235471.tif 000002
【実用新案登録請求の範囲】
【請求項１】
分離可能な第１装飾体及び第２装飾体を有する装飾本体と、
前記第１装飾体に一端が、前記第２装飾体に他端が連結されるリング状のチェーンと、
前記第１装飾体及び第２装飾体の各接合面部に配置される一対のマグネット及び横滑り防止部材と、
前記第１装飾体及び第２装飾体の各外周壁部に設けられる一対のチェーン連結部材及び回転防止部と、を備える環状装身具。
【請求項２】
前記一対のマグネットは、前記第１装飾体及び第２装飾体の各接合面部に凹設されたマグネット収容部に配置され、マグネットの上面が前記接合面部と面一である請求項１に記載の環状装身具。
【請求項３】
前記第１装飾体及び第２装飾体の各接合面部の中央部にマグネットが配置され、その周囲に横滑り防止部材が配置される請求項１又は２に記載の環状装身具。
【請求項４】
前記横滑り防止部材は、第１装飾体又は第２装飾体の一方側から他方側に各接合面部を介して突出する突起体を有する請求項１又は３に記載の環状装身具。
【請求項５】
前記第１装飾部又は第２装飾部の他方側には、前記突起が入り込む溝部が設けられている請求項４に記載の環状装身具。
【請求項６】
前記一対のチェーン連結部材は丸環からなり、前記第１装飾体及び第２装飾体の各接合面部に対して丸環の平面が直交する方向となるように丸環が取付けられる請求項１に記載の環状装身具。
【請求項７】
前記回転防止部は、第１装飾体と第２装飾体とを一体とした際に、他方側の装飾体のチェーン連結部材の一部が嵌り込む凹部を有する請求項１に記載の環状装身具。
【考案の詳細な説明】
【技術分野】
【０００１】
本考案は、ネックレス、ペンダント、ブレスレットなどの環状装身具に係り、特にマグネットを利用して止着するタイプの環状装身具に関する。
【背景技術】
【０００２】
従来、この種の環状装身具としては、特許文献１及び特許文献２に開示のものが知られている。これらの環状装身具は、環状本体部の両端部に一対の止着具を設け、各止着具の板面に磁石を取付け、互いの板面の磁石同士を吸着することで、環状装身具の両端部を止着するものである。
【先行技術文献】
【特許文献】
【０００３】
【特許文献１】実公平６‐３６７４４号公報
【特許文献２】実用新案登録第３１１９８５５号公報
【考案の概要】
【考案が解決しようとする課題】
【０００４】
しかしながら、上記従来の環状装身具にあっては、一対の止着具が環状本体部の両端部に設けられ、首の後ろ側で止着するものであるため、両腕を首の後ろ側に回して指先の感触のみで止着操作をしなくてはならず、特に高齢者にとっては面倒くさいものとなっていた。また、止着部分を目で確認することができないため、止着具が位置ずれを生じた状態で磁石同士が吸着してしまうおそれがあった。
【０００５】
そこで、本考案が解決しようとする課題は、環状装身具の止着部分を装飾本体に設けることによって、胸の前で簡単かつ確実に止着操作できるようにすることである。
【０００６】
また、本考案に係る環状装身具は、環状装身具の止着部分の位置ずれなどを確実に防ぐことである。
【課題を解決するための手段】
【０００７】
上記課題を解決するために、本考案に係る環状装身具は、分離可能な第１装飾体及び第２装飾体を有する装飾本体と、前記第１装飾体に一端が、前記第２装飾体に他端が連結されるリング状のチェーンと、前記第１装飾体及び第２装飾体の各接合面部に配置される一対のマグネット及び横滑り防止部材と、前記第１装飾体及び第２装飾体の各外周壁部に設けられる一対のチェーン連結部材及び回転防止部と、を備えている。
【０００８】
また、本考案に係る環状装身具の横滑り防止部材は、第１装飾体又は第２装飾体の一方側から他方側に各接合面部を介して突出する突起体を有している。また、前記第１装飾部又は第２装飾部の他方側には、前記突起が入り込む溝部が設けられている。
【０００９】
また、本考案に係る環状装身具の一対のチェーン連結部材は丸環からなり、前記第１装飾体及び第２装飾体の各接合面部に対して丸環の平面が直交する方向となるように取付けられている。
【００１０】
また、本考案に係る環状装身具の回転防止部は、第１装飾体と第２装飾体とを一体に接合した際に、他方側の装飾体のチェーン連結部材の一部が嵌り込む凹部を有している。
【考案の効果】
【００１１】
本考案に係る環状装身具によれば、装飾本体を構成する第１装飾体と第２装飾体に止着部分を設けたので、胸の前で自分の目で確認しながら簡単かつ確実に止着することができる。
【００１２】
また、本考案に係る環状装身具によれば、第１装飾体及び第２装飾体の各接合面部に横滑り防止部材を、第１装飾体及び第２装飾体の各外周壁部に一対のチェーン連結部材及び回転防止部をそれぞれ設けたので、第１装飾体と第２装飾体との間の接合面部での相対的な横すべりや、第１装飾体と第２装飾体との回転方向のずれを確実に防ぐことができる。
【図面の簡単な説明】
【００１３】
【図１】本考案に係る環状身飾品(ネックレス)の一実施形態を示す斜視図である。
【図２】装飾本体を第１装飾体と第２装飾体に分離した状態の斜視図である。
【図３】装飾本体を第１装飾体と第２装飾体に分離した状態の断面図である。
【図４】第１装飾体と第２装飾体とを一体に接合する場合の斜視図である。
【図５】第１装飾体と第２装飾体とを一体に接合した時の断面図である。
【図６】本考案に係る環状身飾品(ネックレス)の正面図である。
【考案を実施するための形態】
【００１４】
以下、本考案に係る環状装身具の実施形態を図面に基づいて詳細に説明する。なお、図面は、本考案の環状装身具を模式的に表したものである。これらの実物の寸法および寸法比は、図面上の寸法および寸法比と必ずしも一致していない。また、重複説明は適宜省略させることがあり、同一部材には同一符号を付与することがある。さらに、本考案の技術的範囲は以下で説明する実施形態には限定されず、特許請求の範囲に記載された考案とその均等物に及ぶ点に留意されたい。
【００１５】
図１乃至図６には本考案の一実施形態に係る環状装身具（ネックレス１）が示されている。このネックレス１は、分離可能な第１装飾体３及び第２装飾体４を有する装飾本体２と、第１装飾体３に一端が、第２装飾体４に他端が連結されるリング状のチェーン５とを備える。この実施形態において、第１装飾体３は、貴金属によって形成された第１本体部３ａと、第１本体部３ａの外表面を装飾する第１宝石部３ｂとを備える。第１宝石部３ｂは、第１本体部３ａの外表面に複数の宝石が係止爪などによって固定されたものである。第２装飾体４も同様に、貴金属によって形成された第２本体部４ａと、第２本体部４ａの外表面を装飾する第２宝石部４ｂとを備える。第２宝石部４ｂは、第２本体部４ａの外表面に１つの大きな宝石が係止爪などによって固定されたものである。
【００１６】
この実施形態において、第１本体部３ａ及び第２本体部４ａは、外形形状がほぼ同一である。したがって、各外表面を装飾する第１宝石部３ｂ及び第２宝石部４ｂを異なるデザインとすることで、２つの異なった装飾をリバーシブルに楽しむことができる。なお、第１宝石部３ｂ及び第２宝石部４ｂにおける宝石の大きさや数、配置などの態様は自由である。また、２つの装飾体のうち、いずれを第１装飾体３とするかは選択自由である。
【００１７】
図２及び図３に示したように、前記第１本体部３ａは、前記外表面を有する円形の第１底部３ｃと、第１底部３ｃの外周縁を取り囲む第１外周壁部３ｄと、第１外周壁部３ｄの内側に設けられる第１マグネット収納部３ｅ、とを備える。第１マグネット収納部３ｅは、第１本体部３ａのほぼ中央部において、リング状に形成された第１内周壁部３ｆと、この第１内周壁部３ｆで囲われた円形の第１凹部３ｇとからなる。第１凹部３ｇには円板状の第１マグネット６が嵌め込み固定される、第１マグネット６としては、例えばネオジウム磁石などの永久磁石を用いることができる。なお、図２及び図３に示されるように、第１マグネット収納部３ｅに収容された第１マグネット６の上面６ａは、前記第１外周壁部３ｄの上面３ｄ’及び第１内周壁部３ｆの上面３ｆ’と面一である。そして、これら第１マグネット６の上面６ａ、第１外周壁部３ｄの上面３ｄ’及び第１内周壁部３ｆの上面３ｆ’によって、第１装飾体３の第１接合面部３ｈを形成している。
【００１８】
一方、第２本体部４ａは、前述した第１本体部３ａと同様の構成からなり、前記外表面を有する円形の第２底部４ｃと、第２底部４ｃの外周縁を取り囲む第２外周壁部４ｄと、第２外周壁部４ｄの内側に設けられる第２マグネット収納部４ｅ、とを備える。第２マグネット収納部４ｅは、第２本体部４ａのほぼ中央部において、リング状に形成された第２内周壁部４ｆと、この第２内周壁部４ｆで囲われた円形の第２凹部４ｇとからなる。第２凹部４ｇに円板状の第２マグネット７が嵌め込み固定される、第２マグネット７は、前記第１マグネット６とは磁極を逆にした状態で収容される。なお、図２及び図３に示されるように、第２マグネット収納部４ｅに収容された第２マグネット７の上面７ａは、前記第２外周壁部４ｄの上面４ｄ’及び第２内周壁部４ｆの上面４ｆ’と面一である。そして、これら第２マグネット７の上面７ａ、第２外周壁部４ｄの上面４ｄ’及び第２内周壁部４ｆの上面４ｆ’によって、第２装飾体４の第２接合面部４ｈを形成している。
【００１９】
前記第１本体部３ａの第１外周壁部３ｄと第１内周壁部３ｆとの間には全周に亘って第１溝部３ｉが形成され、この第１溝部３ｉに横滑り防止部材８が配置されている。横滑り防止部材８は、図２に示したように、第１本体部３ａの第１溝部３ｉに等間隔に配置された３つの突起体からなる。横滑り防止部材８は、第１底部３ｃから第１溝部３ｉ内に突出する砲弾形状のもので、図３に示したように、第１本体部３ａの第１接合面部３ｈから先端部分が突出している。
【００２０】
一方、前記第２本体部４ａの第１外周壁部４ｄと第２内周壁部４ｆとの間にも、前述した第１溝部３ｉと同様、全周に亘って第２溝部４ｉが形成されている。この第２溝部４ｉには、前述した第１本体部３ａの第１接合面部３ｈから突出する横滑り防止部材８の先端部分が入り込む。したがって、図５に示したように、第１装飾体３と第２装飾体４とが一体に接合された際には、横滑り防止部材８の先端部分が第２本体部４ａの第２溝部４ｉ内に入り込むことで、第１装飾体３と第２装飾体４との各接合面部３ｈ、４ｈでの相対的な横すべりを防ぐことができる。
【００２１】
前記第１本体部３ａの第１外周壁部３ｄには、第１チェーン連結部材９が取付けられる。前述したチェーン５は、その一端が第１チェーン連結部材９を介して第１装飾体３に連結される。この実施形態において、前記第１チェーン連結部材９は丸環からなり、丸環の一部が第１本体部３ａの第１外周壁部３ｄに食い込むようにして固定されている。また、図２及び図３に示したように、第１チェーン連結部材９は、丸環の上半部が第１外周壁部３ｄの上面３ｄ’から上方に突出している。なお、この実施形態では第１チェーン連結部材９は小丸環９’を介してチェーン５に連結されている。
【００２２】
一方、前記第２本体部４ａの第２外周壁部４ｄには、前述した第１チェーン連結部材９と同様の第２チェーン連結部材１０が取付けられる。前述したチェーン５は、その他端が第２チェーン連結部材１０を介して第２装飾体４に連結される。前記第２チェーン連結部材１０は丸環からなり、丸環の一部が第２本体部４ａの第２外周壁部４ｄに食い込むようにして固定されている。また、図２及び図３に示したように、第２チェーン連結部材１０は、丸環の上半部が第１外周壁部４ｄの上面４ｄ’から上方（図３では紙面の下方）に突出している。なお、この実施形態では第２チェーン連結部材１０は小丸環１０’を介してチェーン５に連結されている。
【００２３】
前記第１本体部３ａの第１外周壁部３ｄには、前記第１チェーン連結部材９の他に、第１チェーン連結部材９の取付け位置から円周上に約１/３周だけ離れた位置に第１回転防止部１１が形成されている。この第１回転防止部１１は、図２及び図３に示したように、第１外周壁部３ｄの外周面と上面３ｄ’との角部に形成した切欠き凹部からなる。
【００２４】
一方、前記第２本体部４ａの第１外周壁部４ｄにも、前記第２チェーン連結部材１０の他に、第２チェーン連結部材１０の取付け位置から円周上に約１/３周だけ離れた位置に第２回転防止部１２が形成されている。この第２回転防止部１２は、第１回転防止部１１と同様、第２外周壁部４ｄの外周面と上面４ｄ’との角部に形成した切欠き凹部からなる。
【００２５】
図４及び図５に示したように、第１装飾体３と第２装飾体４とを止着する際には、第１チェーン連結部材９を第２回転防止部１２の切欠き凹部に位置合わせし、第２チェーン連結部材１０を第１回転防止部１１の切欠き凹部に位置合わせする。その状態で、第１装飾体３の第１接合面部３ｈと第２装飾体４の第２接合面部４ｈとを面合わせし、第１マグネット６と第２マグネット７とを吸着させる。それにより、第１装飾体３と第２装飾体４とが一体に接合されて装飾本体２を形成すると共に、第１チェーン連結部材９が第２回転防止部１２の切欠き凹部に嵌り込み、第２チェーン連結部材１０が第１回転防止部１１の切欠き凹部に嵌り込むことで、第１装飾体３と第２装飾体４との円周方向の回転が防止される。
【００２６】
このように、本考案に係るネックレス１にあっては、装飾本体２を構成する第１装飾体３と第２装飾体４とを胸の前で、自分の目で確認しながら止着することができる。また、第１装着体３と第２装飾体４の互いの接合面部３ｈ、４ｈ同士を面合わせするだけで、第１マグネット６と第２マグネット７とが吸着して第１装飾体３と第２装飾体４とを容易に止着することができる。さらに、止着された第１装飾体３と第２装飾体４は、前述した横滑り防止部材８によって各接合面部３ｈ、４ｈでの横滑りが防止されることで、容易にずれ動いてしまうといったことがない。さらにまた、第１装飾体３と第２装飾体４は、第１チェーン連結部材９と第２チェーン連結部材１０が相手側の回転防止部１２、１１に嵌り込んで位置決めされるので、円周方向に回転してしまうことがない。そしてまた、第１装飾体３と第２装飾体４は外形がほぼ同一であり、且つそれぞれがデザインの異なった宝石部３ｂ、４ｂを有しているので、裏表の異なる装飾デザインをリバーシブルに楽しむことができる。
【００２７】
この実施形態において、前記一対のチェーン連結部材９、１０は、図３乃至図５に示したように、第１装飾体３及び第２装飾体４の各接合面部３ｈ、４ｈに対して丸環の平面が直交する方向となるように取付けられている。そのため、図１及び図６に示したように、装飾本体２を正面から見た時に丸環の平面、すなわちリング形状が見えないためチェーン連結部材９、１０が目立たずに、胸のところで装飾本体２がすっきり見えて、装飾本体２の見映えを損なうことがない。
【００２８】
さらに、前記一対のチェーン連結部材９、１０は、図６に示したように、装飾本体２の円周上に約１２０度の上向き角度で取り付けられている。そのため、ネックレス１を首から吊るして装飾本体２を胸の前に下げた時に、装飾本体２が安定した状態で胸の前に位置し、表と裏がひっくり返るようなことがない。
【００２９】
なお、装飾本体２の止着を解除する場合には、胸の前に下がっている装飾本体２の左右のチェーン連結部材３、４を指でつまみ、互いに逆方向に少し捻ることで、第１装飾体３と第２装飾体４との吸着を容易に解除することができる。
【符号の説明】
【００３０】
１  ネックレス（環状装身具）
２  装飾本体
３  第１装飾体
３ａ  第１本体部
３ｂ  第１宝石部
３ｃ  第１底部
３ｄ  第１外周壁部
３ｄ’  第１外周壁部の上面
３ｅ  第１マグネット収容部
３ｆ  第１内周壁部
３ｆ’  第１内周壁部の上面
３ｇ  第１凹部
３ｈ  第１接合面部
３ｉ  第１溝部
４  第２装飾体
４ａ  第２本体部
４ｂ  第２宝石部
４ｃ  第２底部
４ｄ  第２外周壁部
４ｄ’  第２外周壁部の上面
４ｅ  第２マグネット収容部
４ｆ  第２内周壁部
４ｆ’  第２内周壁部の上面
４ｇ  第２凹部
４ｈ  第２接合面部
４ｉ  第２溝部
５  チェーン
６  第１マグネット
７  第２マグネット
８  横滑り防止部材
９  第１チェーン連結部材
１０  第２チェーン連結部材
１１  第１回転防止部
１２  第２回転防止部
【図１】
0003235471.tif 000003
【図２】
0003235471.tif 000004
【図３】
0003235471.tif 000005
【図４】
0003235471.tif 000006
【図５】
0003235471.tif 000007
【図６】
0003235471.tif 000008